(57)【要約】【課題】ユーザーから見た操作性がよく感じる無線通信映像表示システムを提供すること。【解決手段】映像コンテンツ及び映像コンテンツを選択するためのサムネイル画像を無線送信する映像送信装置と、映像送信装置から受信した映像コンテンツ及びサムネイル画像を表示する表示装置を備えた無線通信映像表示システムであって、映像送信装置は、映像コンテンツを用いて作成したサムネイル画像及びコンテンツの付属情報から作成したサムネイル画像に対応したコンテンツ情報を送信し、表示装置は、映像送信装置から送信されたサムネイル画像とコンテンツ情報を記憶し、記憶されたサムネイル画像に記憶されたコンテンツ情報から作成したカーソルを重畳し、作成したカーソルで所定の映像コンテンツが選択されたとき、映像送信装置に所定の映像コンテンツの送信を要求するので、ユーザーから見て操作性が良く感じる。【選択図】図１
2010056837.tif 000002
【特許請求の範囲】
【請求項１】
映像コンテンツ及び映像コンテンツを選択するためのサムネイル画像を無線送信する映像送信装置と、前記映像送信装置から受信した前記映像コンテンツ及び前記サムネイル画像を表示する表示装置を備えた無線通信映像表示システムであって、
前記映像送信装置は、前記映像コンテンツを用いて作成したサムネイル画像及び前記コンテンツの付属情報から作成したサムネイル画像に対応したコンテンツ情報を送信し、
前記表示装置は、前記映像送信装置から送信された前記サムネイル画像と前記コンテンツ情報を記憶し、前記記憶されたサムネイル画像に前記記憶されたコンテンツ情報から作成したカーソルを重畳し、前記作成したカーソルで所定の映像コンテンツが選択されたとき、前記映像送信装置に所定の映像コンテンツの送信を要求することを特徴とする無線通信映像表示システム。
【請求項２】
映像コンテンツ及び映像コンテンツを選択するためのサムネイル画像を無線送信する映像送信装置と、前記映像送信装置から受信した前記映像コンテンツ及び前記サムネイル画像を表示する表示装置を備えた無線通信映像表示システムであって、
前記映像送信装置は、
前記映像コンテンツと、前記サムネイル画像生成用のカーソル情報を記憶する第１の記憶部と、
前記第１の記憶部に記憶されている前記映像コンテンツのサムネイル画像を生成するサムネイル画像生成部と、
前記サムネイル画像生成部が生成した前記サムネイル画像及び前記第１の記憶部に記憶された前記映像コンテンツを圧縮する画像圧縮部と、
前記第１の記憶部に記憶されているサムネイル画像生成用のカーソル情報から前記サムネイル画像生成部が生成したサムネイル画像に対応したコンテンツ情報を作成するコンテンツ選択画面データ作成部と、
前記映像圧縮部が前記圧縮した映像コンテンツ及び前記圧縮したサムネイル画像と前記コンテンツ選択画面データ作成部が作成した前記コンテンツ情報を送信する第１の無線通信部とを有し、
前記表示装置は、
前記映像送信装置から送信された前記圧縮した映像コンテンツ及び前記圧縮したサムネイル画像と前記コンテンツ情報を受信する第２の無線通信部と、
前記第２の無線通信部が受信した前記圧縮した映像コンテンツ及び前記圧縮したサムネイル画像を伸張する映像伸張部と、
前記映像伸張部が伸張したサムネイル画像を記憶する第２の記憶部と、
前記第２の記憶部に記憶された前記サムネイル画像と前記映像伸張部が伸張した映像コンテンツを切替える切替部と、
前記切替部から入力した映像コンテンツ或いはサムネイル画像を表示する表示手段と、
前記第２の無線通信部が受信した前記コンテンツ情報を記憶する第３の記憶部と、
前記第３の記憶部が記憶した前記コンテンツ情報から前記表示手段が表示したサムネイル画像に重畳させるカーソルを作成するカーソル作成部とを有し、
前記表示装置は、前記第２の記憶部に記憶されたサムネイル画像に重畳された前記カーソル作成部で作成されたカーソルで所定の映像コンテンツが選択さえれたとき、前記映像送信装置に所定の映像コンテンツの送信を要求することを特徴とする無線通信映像表示システム。
【発明の詳細な説明】
【技術分野】
【０００１】
本発明は、映像送信装置に蓄積されている複数の映像コンテンツから特定の映像コンテンツを無線通信にて表示装置で選択する時、映像コンテンツ一覧から特定の映像コンテンツを表示するまでの選択操作に対する遅延を改善する無線通信映像表示システムに関するものである。
【背景技術】
【０００２】
従来の無線通信映像表示システムは、図８のように、ＡＶ機器等の制御される被制御装置８００と、その被制御装置８００を制御するテレビなどの制御装置８５０とが接続されている。まず、被制御装置８００は、制御装置８５０が被制御装置８００を操作するための操作情報、例えば操作画面を表示する画像情報、操作を指示する音声情報などを制御装置８５０へ送信する。そして制御装置８５０は、被制御装置８００から受信した操作情報を表示部８５８に表示し、操作画面を介してユーザーからの操作入力を受け付けて被制御装置８００を操作する。このように、制御装置８５０と被制御装置８００とによる無線通信映像表示システムのシステムが提案されている（例えば特許文献１参照）。
【０００３】
従来の無線通信映像表示システムによる応答性の動作を示す図９を用いて説明する。被制御装置８００と制御装置８５０とが、映像・音声の伝送に圧縮・伸張技術を使いながら無線通信の狭い周波数帯域で無線接続された場合を考える。まず制御装置８５０が被制御装置８００を操作する操作画面を表示している場合、制御装置８５０はユーザーからの操作入力を受け付ける（Ｓ１００１）。そして、制御装置８５０がユーザーの操作入力を被制御装置８００に送信する（Ｓ１００２）。被制御装置８００はユーザーからの操作入力に対応して操作情報を更新する（Ｓ１００３）。そして、被制御装置８００は更新した操作情報を圧縮し（Ｓ１００４）、制御装置８５０に送信する（Ｓ１００５）。そして、制御装置８５０は受信した操作情報を伸張し（Ｓ１００６）、操作情報を画面表示する（Ｓ１００７）。
【特許文献１】特開２００４−２４６８７６号公報
【発明の開示】
【発明が解決しようとする課題】
【０００４】
しかしながら、前記従来の無線通信映像表示システムは、制御装置と被制御装置間でのユーザーの操作入力において、被制御装置と制御装置間で操作情報のやり取りを行う。そのとき、操作情報などの圧縮、伸張による時間がかかるため、ユーザーから見て操作性が悪いように感じる。つまり、従来の無線通信映像表示システムは応答性に課題を有していた。
【０００５】
本発明は、前記従来の課題を解決するもので、ユーザーから見た操作性がよく感じる無線通信映像表示システムを提供することを目的とする。
【課題を解決するための手段】
【０００６】
前記従来の課題を解決するために、本発明の無線通信映像表示システムは、映像コンテンツ及び映像コンテンツを選択するためのサムネイル画像を無線送信する映像送信装置と、前記映像送信装置から受信した前記映像コンテンツ及び前記サムネイル画像を表示する表示装置を備えた無線通信映像表示システムであって、前記映像送信装置は、前記映像コンテンツを用いて作成したサムネイル画像及び前記コンテンツの付属情報から作成したサムネイル画像に対応したコンテンツ情報を送信し、前記表示装置は、前記映像送信装置から送信された前記サムネイル画像と前記コンテンツ情報を記憶し、前記記憶されたサムネイル画像に前記記憶されたコンテンツ情報から作成したカーソルを重畳し、前記作成したカーソルで所定の映像コンテンツが選択されたとき、前記映像送信装置に所定の映像コンテンツの送信を要求する。
【０００７】
本構成により、ユーザーが行う映像コンテンツ選択操作に対して映像コンテンツの送信要求までは表示装置のみで処理を行うので、映像送信装置と表示装置間での操作情報のやり取りによる操作情報などの圧縮、伸張による時間がかからないためユーザーから見て操作性が良く感じられる。
【発明の効果】
【０００８】
本発明の無線通信映像表示システムによれば、映像送信装置と表示御装置間での操作情報のやり取りにおいて、映像送信装置での操作情報などの圧縮及び表示装置への送信、表示装置での操作情報の伸張をユーザー操作入力の前に行っているので、ユーザーから見て操作性が良く感じる。つまり、本発明の無線通信映像表示システムは応答性に問題がない。
【発明を実施するための最良の形態】
【０００９】
以下本発明を実施するための最良の形態について、図面を参照しながら説明する。
【００１０】
（実施の形態１）
図１は、本発明の実施の形態に係る無線通信映像表示システムのブロック図である。無線通信映像表示システムは、映像送信装置１００と表示装置１５０から構成される。
【００１１】
最初に、映像送信装置１００について説明する。映像送信装置１００は、制御部１０１、コンテンツ記憶部１０２、サムネイル画像生成部１０３、サムネイル画像記憶部１０４、画像圧縮部１０５、コンテンツ選択画面データ作成部１０６、無線通信部１０７から構成される。
【００１２】
コンテンツ記憶部１０２は、複数の映像コンテンツとサムネイル画像生成用のカーソル情報を記憶する。
【００１３】
サムネイル画像とは図２のように、複数の映像コンテンツを圧縮して表示装置に一覧表示したコンテンツを選択するための画像を意味する。そして、図３のようにサムネイル画像生成用のカーソル情報とは、１枚のサムネイル画像に配置される映像コンテンツ数（ｎ）、１つの映像コンテンツを表示する領域の高さ、横幅及び、１番目からｎ番目までの映像コンテンツに対して各々の表示開始位置と映像コンテンツの順序関係を規定する移動規則として前及び次を選択した場合に選択される映像コンテンツの番号を記憶する。
【００１４】
また、サムネイル画像生成用のカーソル情報は予めコンテンツ記憶部１０２に記憶されているが、ユーザーの操作により更新することができる。
【００１５】
サムネイル画像生成部１０３は、コンテンツ記憶部１０２から取得したサムネイル画像生成用のカーソル情報に基づき、コンテンツ記憶部１０２に記憶されている映像コンテンツを記憶している順番に映像の一場面を縮小し、サムネイル画像を生成する。サムネイル画像生成部１０３がサムネイル画像を生成するとき、１画面のサムネイル画像に収まらない場合は、複数画面のサムネイル画像を生成する。また、サムネイル画像において、表示する映像コンテンツが無い場合は、「映像無し」の表示、あるいは、黒画面を配置する。
【００１６】
サムネイル画像記憶部１０４は、サムネイル画像生成部１０３で作成された１画面ないし複数画面のサムネイル画像を記憶する。
【００１７】
画像圧縮部１０５は、サムネイル画像記憶部１０４に記憶されている複数のサムネイル画像を個別に圧縮してサムネイル画像であることを示すデータを付けて無線通信部１０７を介して表示装置１５０に送信する。また、コンテンツ記憶部１０２に記憶されている映像コンテンツを圧縮して映像コンテンツであることを示すデータを付けて無線通信部１０７を介して表示装置１５０に送信する。
【００１８】
コンテンツ選択画面データ作成部１０６は、映像コンテンツ毎にサムネイル生成部１０３で作成したサムネイル画像に対応させるためコンテンツ記憶部１０２が記憶している順番にコンテンツ名称及び記録開始終了時間をコンテンツ情報として作成し、無線通信部１０７を介して表示装置１５０に送信する。
【００１９】
無線通信部１０７は、画像圧縮部１０５で圧縮されたサムネイル画像、画像圧縮部１０５で圧縮された映像コンテンツ、コンテンツ選択画面データ作成部１０６で作成されたコンテンツ情報及び制御部１０１から送られたカーソル情報を表示装置１５０に送信する。逆方向として、無線通信部１０７は表示装置１５０からの映像コンテンツ再生要求を受信し、制御部１０１に伝える。
【００２０】
制御部１０１は、コンテンツ記憶部１０２に記憶されている映像コンテンツが追加或いは削除された場合、映像コンテンツ追加削除処理（図４）としてサムネイル画像生成部１０３、画像圧縮部１０５およびコンテンツ選択画面データ作成部１０６に指示して最新のサムネイル画像及びコンテンツ情報を生成させる。そして、無線通信部１０７に指示して最新のサムネイル画像及びコンテンツ情報を表示装置１５０に送信させる。また、コンテンツ記憶部１０２からカーソル情報を読み出し無線通信部１０７を介して表示装置１５０に送信する。また、表示装置１５０からの映像コンテンツ再生要求に対して再生処理（図７）を行う。
【００２１】
次に、表示装置１５０について説明する。表示装置１５０は、制御部１５１、無線通信部１５２、画像伸張部１５３、画像記憶部１５４、情報記憶部１５６、切替部１５５、カーソル作成部１５７、表示部１５８、リモコン受光部１５９から構成される。
【００２２】
無線通信部１５２は、映像送信装置１００から送信された圧縮したサムネイル画像或いは圧縮された映像コンテンツを受信した時は、それらの受信を制御部１５１に通知し、サムネイル画像或いは圧縮された映像コンテンツを画像伸張部１５３に送る。また同様に映像送信装置１００から送信されたカーソル情報及びコンテンツ情報を受けと取り制御部１５１に送る。逆方向として、制御部１５１から送られた映像コンテンツ再生要求を映像送信装置１００に送信する。
【００２３】
画像伸張部１５３は、無線通信部１５２から圧縮されたサムネイル画像を受信したとき、圧縮されたサムネイル画像を伸張し、画像記憶部１５４と切替部１５５に出力する。また、無線通信部１５２から圧縮された映像コンテンツを受信したとき、映像コンテンツを伸張して切替部１５５に出力する。
【００２４】
画像記憶部１５４は、制御部１５１の指示で画像伸張部１５３から出力されるサムネイル画像を記憶する及び、記憶したサムネイル画像を切替部１５５に出力する。
【００２５】
切替部１５５は、制御部１５１の指示で画像伸張部１５３から出力された映像と画像記憶部１５４から出力された映像を切替える。
【００２６】
情報記憶部１５６は、制御部１５１が無線通信部１５２から入力したカーソル情報及び、コンテンツ情報を記憶する。
【００２７】
カーソル作成部１５７は、制御部１５１の指示で、カーソル情報の内、移動規則に基づいてサムネイル画像上のカーソルが当たる映像コンテンツに対しカーソル等を表示する。そして、情報記憶部１５６から制御部１５１を介してカーソルの当たっている映像コンテンツに対応するコンテンツ情報を読み出し、コンテンツ情報も表示する。また、制御部１５１の指示により、カーソル等、コンテンツ情報の表示を消去する。
【００２８】
ここで、カーソルとはユーザーインタフェースとして、サムネイル画像上でユーザーの指示や操作の対象を指し示すために用いられるものである。例えば、サムネイル画像の中の所定のコンテンツを矢印などで指し示したり、所定のコンテンツの周囲の色を変えたり、所定のコンテンツの画像をてんめつさせたりして、操作対象のコンテンツを明確にする。
【００２９】
表示部１５８は、切替部１５５からのサムネイル画像を背景とし、カーソル作成部１５７からのカーソル表示を前景として重畳して表示したり、切替部１５５からの映像コンテンツを表示したりする。
【００３０】
リモコン受光部１５９は、リモコンによるユーザー指示を受信し制御部１５１に伝える。
【００３１】
制御部１５１は、サムネイル画像を表示している時リモコン受光部１５９又は図示されていない制御キーによる入力に基づき映像コンテンツの選択操作を決定しカーソル移動処理（図６）を行うためカーソル生成部１５７にカーソル移動を指示する。また、同様にユーザーから映像コンテンツの再生指示がされた場合は、無線通信部１５２を介して映像送信装置１００へ映像コンテンツ再生要求を送る。また、無線通信部１５２からサムネイル画像の受信通知が有った場合、画像記憶部１５４に指示して画像伸張部１５３から出力しているサムネイル画像を記憶させる。また、無線通信部１５２から映像コンテンツの受信通知があった場合、切替部１５５に指示して画像伸張部１５３からの映像コンテンツを表示部１５８に出力させる。また、無線通信部１５２からのカーソル情報及びコンテンツ情報を入力し、情報記憶部１５６に送る。
【００３２】
次に、無線通信装置内蔵テレビジョン受像システムにより、サムネイル画像からユーザーの要望するコンテンツ映像を表示するまでのフローについて説明する。
【００３３】
まず、本実施の形態による無線通信装置内蔵テレビジョン受像システムの映像送信装置１００のサムネイル画像の生成フローについて図４を用いて説明する。
【００３４】
表示装置１５０からのユーザー指示などにより、映像送信装置１００のコンテンツ記憶部１０２に記憶されているコンテンツ映像が追加されたり、削除されたりしたとき、映像送信装置１００の制御部１０１は、サムネイル画像を新たに生成する。
【００３５】
制御部１０１は、コンテンツ記憶部１０２に記憶されているコンテンツ映像が追加されたり、削除されたりしたとき、コンテンツ記憶部１０２のカーソル情報を取り出し、カーソル情報を基にコンテンツ記憶部１０２に記憶された複数の映像コンテンツを使いサムネイル画像を生成するように、サムネイル画像生成部１０３に指示する。そして、制御部１０１は、生成したサムネイル画像をサムネイル記憶部１０４に記憶させる（Ｓ４０１）。そして、制御部１０１は、サムネイル画像記憶部１０４から１つないし複数のサムネイル画像を取り出し、サムネイル画像を圧縮して無線通信部１０７を介して表示装置１５０に送るように、画像圧縮部１０５に指示する（Ｓ４０２）。
【００３６】
また、制御部１０１は、コンテンツ選択画面データ作成部１０６に指示して、コンテンツ情報を作成し、無線通信部１０７を介して表示装置１５０に送る（Ｓ４０３）。
【００３７】
表示装置１５０は、映像送信装置１００からのサムネイル画像と、コンテンツ情報を無線通信部１５２で受信する。そして、サムネイル画像は、画像伸張部１５３で伸張された後が画像記億部１５４に記憶される。コンテンツ情報は、制御部１５１経由で情報記憶部１５６に記憶される。
【００３８】
次に、本実施の形態による無線通信装置内蔵テレビジョン受像システムの表示装置１５０のサムネイル画像の操作フローについて図５を用いて説明する。
【００３９】
表示装置１５０は、ユーザー指示により、サムネイル画像を表示し、サムネイル画像で選択された映像コンテンツを映像送信装置１００に再生要求する。
【００４０】
ユーザーのサムネイル画像の表示指示に基づき、表示装置１５０の制御部１５１は、サムネイル画面表示のために画像記憶部１５４に指示して１画面目のサムネイル画像を出力させる。そして、カーソル作成部１５７に指示して、カーソルが当たる映像コンテンツを記録した順番が１番の映像コンテンツとする。また、切替部１５５に指示して映像記憶部１５４からの画像を表示部１５８に出力させる（Ｓ５０１）。制御部１５１は、リモコン受光部１５９又は制御キーによりカーソル移動が要求されたかを確認する（Ｓ５０２）。ステップＳ５０２において、カーソル移動が要求された場合、制御部１５１は、カーソル移動処理を行う。（Ｓ５０３）。
【００４１】
そして、制御部１５１は、リモコン又は制御キーによりカーソルが当たっている映像コンテンツの再生要求があるかを確認する（Ｓ５０４）。ステップＳ５０４において、カーソルが当たっている映像コンテンツの再生要求があった場合、再生要求処理として、制御部１５１はカーソル作成部１５７にカーソルを消去させる指示をする。そして、カーソルが当たっている映像コンテンツの順番を指定して映像コンテンツ再生要求を無線通信部１５２を介して映像送信装置１００に送る。映像送信装置１５０から再生要求を行った映像コンテンツを受信した後、切替部１５５に指示して画像伸張部１５４の出力を表示部１５８に出力するように指示する（Ｓ５０５）。
【００４２】
ステップＳ５０４において、再生要求がされなかった場合、ステップＳ５０２の処理に戻る。
【００４３】
最後に、サムネイル画像の操作処理において、ステップＳ５０３のカーソル移動処理及びステップＳ５０５の再生要求処理について、詳細に説明する。
【００４４】
カーソル移動処理を図６に示すフローチャートを用いて説明する。
【００４５】
制御部１５１は、カーソルが当たっている映像コンテンツの順番を図３のサムネイル画像のカーソル情報に従って更新する。そして、カーソル作成部１５７にカーソルを消去させる。（Ｓ６０１）。
【００４６】
制御部１５１は、サムネイル画像を変える場合を判断するために、更新される前にカーソルが当たっていた映像コンテンツの順番をカーソル情報の内１枚のサムネイル画像に配置される映像コンテンツ数で除した数と、更新された後のカーソルが当たっている映像コンテンツの順番を前記１枚のサムネイル画像に配置される映像コンテンツ数で除した数とが違い、サムネイル画像を更新するかを確認する（Ｓ６０２）。
【００４７】
ステップＳ６０２において、サムネイル画像を更新する場合、制御部１５１は、更新された後のカーソルが当たっている映像コンテンツを含むサムネイル画像を表示するために、更新された後のカーソルが当たっている映像コンテンツの順番を前記１枚のサムネイル画像に配置される映像コンテンツ数で除した数に対応するサムネイル画像を表示するように画像記憶部１５４指示して出力させる（Ｓ６０３）。
【００４８】
そして、制御部１５１は、カーソル作成部１５７にカーソル等の表示及びコンテンツ情報を表示させる（Ｓ６０４）。
【００４９】
再生要求処理を図７に示すフローチャートを用いて説明する。
【００５０】
制御部１０１は、無線通信部１０７が受信した表示装置１５０からの映像コンテンツ再生要求を入力し、指定されている映像コンテンツの順番に従って、コンテンツ記憶部１０２から映像コンテンツを映像圧縮部１０５に出力させる（Ｓ７０１）。そして、制御部１０１は、映像圧縮部１０５に指示して圧縮した映像コンテンツを無線通信部１０７を介して表示装置１５０に送信させる（Ｓ７０２）。
【００５１】
かかる構成によれば、映像送信装置１００で作成したサムネイル画像とカーソル情報を予め表示装置１５０に送信し、表示装置１５０は画像記憶部１５４にサムネイル画像及び情報記憶部１５６にカーソル情報を予め記憶しておく。そして、ユーザーの指示に基づいて、表示装置が１５０がカーソル作成部１５７が作成した映像コンテンツに対するカーソルを、サムネイル画像と重畳して表示部１５８で表示する。ユーザーはこのサムネイル画像を操作して、コンテンツ映像を決定するまで、表示装置１５０に記憶されたサムネイル画像とカーソル情報のみでサムネイル画像を作成及び操作するので、ユーザーから見て操作性が悪いように感じない。
【００５２】
なお、本実施の形態において、コンテンツ記憶部１０２とサムネイル画像記憶部１０４を設けたが、サムネイル画像記憶部１０４の機能をコンテンツ記憶部１０２に持たせても良い。
【産業上の利用可能性】
【００５３】
以上のように、本発明の無線通信映像表示システムによれば、表示装置１５０で映像コンテンツ選択処理が行えるため、従来のように映像送信装置で映像コンテンツ選択画面を生成してその映像を圧縮し、送受信し、映像を伸張した後に表示装置で表示するのに比べ、遅延を感じることなくなり操作性が向上するため全ての無線通信機能を内蔵したテレビジョン受像機に有用である。
【図面の簡単な説明】
【００５４】
【図１】本発明の実施の形態における無線通信装置内蔵テレビジョン受像システムのブロック図
【図２】本発明の実施の形態におけるサムネイル画像の図
【図３】本発明の実施の形態におけるサムネイル画像生成用のカーソル情報の図
【図４】本発明の実施の形態における映像送信装置の映像コンテンツ追加削除処理の動作を示すフローチャート
【図５】本発明の実施の形態における表示装置のフローチャート
【図６】本発明の実施の形態における表示装置のカーソル移動処理の動作を示すフローチャート
【図７】本発明の実施の形態における映像送信装置の再生処理の動作を示すフローチャート
【図８】従来の実施の形態における無線通信装置内蔵テレビジョン受像システムの構成を示すブロック図
【図９】従来の実施の形態における操作に対する応答遅延の動作を示す図
【符号の説明】
【００５５】
１００    映像送信装置
１０１    制御部
１０２    コンテンツ記憶部
１０３    サムネイル画像生成部
１０４    サムネイル画像記憶部
１０５    画像圧縮部
１０６    コンテンツ選択画面データ作成部
１０７    無線通信部
１５０    表示装置
１５１    制御部
１５２    無線通信部
１５３    画像伸張部
１５４    画像記憶部
１５６    情報記憶部
１５５    切替部
１５７    カーソル作成部
１５８    表示部
１５９    リモコン受光部
【図１】
2010056837.tif 000003
【図２】
2010056837.tif 000004
【図３】
2010056837.tif 000005
【図４】
2010056837.tif 000006
【図５】
2010056837.tif 000007
【図６】
2010056837.tif 000008
【図７】
2010056837.tif 000009
【図８】
2010056837.tif 000010
【図９】
2010056837.tif 000011